【事件の表示】
　特願２００１−　５０１５７「プレビューシステム」拒絶査定不服審判事件〔平成１４年　９月　６日出願公開、特開２００２−２５１２７８〕について、次のとおり審決する。
【結　論】
　本件審判の請求は、成り立たない。
【理　由】
第１　手続の経緯
　本願は、平成１３年２月２６日の出願であって、平成２０年２月２６日付けの拒絶の理由の通知に対して、同年４月３０日付けで意見書が提出されるとともに、同日付けで手続補正がなされたが、平成２１年４月１６日付けで拒絶をすべき旨の査定がされ、これに対し同年７月６日に拒絶査定不服審判の請求がなされるとともに、同日付けで手続補正がなされたものである。
　
第２　平成２１年７月６日付けの手続補正についての却下の決定
［結論］
　平成２１年７月６日付けの手続補正を却下する。
［理由］
１　補正後の本願発明
　平成２１年７月６日付けの手続補正（以下「本件補正」という。）により、平成２０年４月３０日付けの手続補正書の特許請求の範囲の請求項１（以下「補正前の請求項１」という。）は、平成２１年７月６日付けの手続補正書の特許請求の範囲の請求項１（以下「補正後の請求項１」という。）に補正された。
　補正前の請求項１及び補正後の請求項１は、以下のとおりである。
　
補正前の請求項１
「ネットワークを介してユーザのコンピュータによりアクセスされるアプリケーションシステムに接続されたプレビューシステムであって、
　前記アプリケーションシステムにデータを登録するための入力画面上に前記ユーザによって入力されたデータを受信するデータ受信手段と、
　前記受信したデータが前記アプリケーションシステムに正規に登録された場合における該データの閲覧画面と同様の表示形態を持つプレビュー画面を作成するプレビュー作成手段と、
　前記入力画面上に入力されたデータに対する確認画面として、前記作成したプレビュー画面を前記ユーザのコンピュータに送信して表示するプレビュー表示手段と、
　前記プレビュー画面上に表示されたボタンであって、登録を示す該ボタンが前記ユーザによって選択されたことに応じて、前記入力画面上に入力されたデータを前記アプリケーションシステムに正規に登録する手段と、
　前記プレビュー画面上に表示されたボタンであって、取消を示す該ボタンが前記ユーザによって選択されたことに応じて、前記ユーザによってデータが入力された状態の前記入力画面を前記ユーザのコンピュータに送信して表示する手段と、
　を備えるプレビューシステム。」
　
補正後の請求項１
「ネットワークを介してユーザのコンピュータによりアクセスされるアプリケーションシステムに接続されたプレビューシステムであって、
該アプリケーションシステムは、正規に登録されたデータの閲覧画面を、該システムの利用者に提供するよう構成されており、
　前記アプリケーションシステムに
前記
　前記受信したデータが前記アプリケーションシステムに正規に登録された場合における該データの
前記
　前記入力画面上に入力されたデータに対する確認画面として、前記作成したプレビュー画面を前記ユーザのコンピュータに送信して表示するプレビュー表示手段と、
　前記プレビュー画面上に表示されたボタンであって、登録を示す該ボタンが前記ユーザによって選択されたことに応じて、前記入力画面上に入力された
前記プレビュー画面に対応する
　前記プレビュー画面上に表示されたボタンであって、取消を示す該ボタンが前記ユーザによって選択されたことに応じて、
前記プレビュー画面を削除するとともに、前記プレビュー画面に対応する前記データを前記ユーザが訂正することができるように、
　を備えるプレビューシステム。」
　
　本件補正は、補正前の請求項１に記載した発明を特定するために必要な事項である「アプリケーションシステム」、「データ」及び「該データが前記ユーザによって入力された状態の前記入力画面を前記ユーザのコンピュータに送信して表示する手段」について、それぞれ「該アプリケーションシステムは、正規に登録されたデータの閲覧画面を、該システムの利用者に提供するよう構成されており」、「前記プレビュー画面に対応する」及び「前記プレビュー画面を削除するとともに、前記プレビュー画面に対応する前記データを前記ユーザが訂正することができるように」との限定を付加するものであって、特許法１７条の２第４項２号に規定する特許請求の範囲の減縮を目的とするものに該当する。
　そこで、補正後の請求項１に記載された発明（以下「本願補正発明」という。）が特許出願の際独立して特許を受けることができるものであるか（特許法１７条の２第５項において準用する同法１２６条５項の規定に適合するか）について以下に検討する。
　
２　引用例の記載
　原査定の拒絶の理由に引用された特開２０００−６７０３８号公報（平成１２年３月３日出願公開。以下「引用例」という。）には、図面とともに次の事項が記載されている。
　
ア　「【０００１】
【発明の属する技術分野】本発明は、ＨＴＭＬ（Hyper TextMarkup Language）言語を用いて記述されたホームページを自動作成するホームページ作成装置に関する。
【０００２】
【従来の技術】従来、ホームページ作成する場合には、ＨＴＭＬ言語を用いて記述し、ホームページ公開のため、特定の装置にホームページ情報を登録（ＦＴＰ）する必要がある。なお、ホームページとは、インターネット（またはイントラネット）において、ＨＴＭＬ言語で記述されたテキストファイルであり、インターネットのＨＴＭＬ言語を画面に表示する装置（ＷＷＷブラウザ）を用いて表示される画面・内容物を指す。
【０００３】
【発明が解決しようとする課題】しかしながら、従来技術では、ホームページがＨＴＭＬ言語で作成されており、ＨＴＭＬ言語は日常会話で用いられる自然言語とは異なり、コンピュータの理解できる表記が必要であるため、ホームページ作成する場合にはＨＴＭＬ言語の理解しなければならないという問題があった。
【０００４】また、ホームページ公開のためには、ホームページ公開装置にホームページ情報をいくつかの複雑なコマンドを用いて登録（ＦＴＰ:File Transfer Protocol）する必要があり、登録が容易ではないため、誰もが容易にホームページを作成できる環境ではないという問題があった。
【０００５】また、近年、クライアント側でホームページを自動作成する技術が提案されている。しかしながら、この場合、クライアント側にホームページ自動作成用の種々のソフトウェアや資源（ハードディスク容量）を用意しなければならず、負担が大きいという欠点がある。また、ホームページをサーバに登録する際に、ネットワーク上に大量のデータが流れるので、非効率であるという問題があった。
【０００６】この発明は上述した事情に鑑みてなされたもので、ホームページを容易にかつ効率的に作成することができるホームページ作成装置を提供することを目的とする。」（段落【０００１】〜【０００６】）
　
イ　「【００１２】
【発明の実施の形態】以下、図面を用いて本発明の実施の形態を説明する。
Ａ．実施形態の構成
図１は、本発明の実施形態による全体の構成を示す概念図である。図１（ａ）において、本実施例は、キーボード、マウス等の入力装置１ａとディスプレイ装置や印刷装置等の出力装置１ｂとからなるクライアント端末１、およびプログラム制御により動作し、ホームページを作成するホームページ出力装置２から構成されている。
【００１３】ホームページ出力装置２は、クライアント端末からの要求（ＵＲＬ）に応じて、ＨＴＭＬ言語で記述されたホームページを提供する、いわゆるＷＷＷサーバであり、図１（ｂ）に示すように、ホームページ作成画面出力部２１、ホームページ出力部２２およびホームページ検索出力部２３を備えている。ホームページ作成画面出力部２１は、ホームページ作成画面テンプレートに基づいてホームページ作成に必要な項目を表示する。ホームページ出力部２２は、ホームページテンプレートに基づいてホームページ作成に必要な項目の内容を表示する。記憶装置４は、ハードディスク等からなり、ホームページ作成画面テンプレート、ホームページテンプレート等のホームページの情報を格納している。
【００１４】ここで、図２ないし図４は、ＨＴＭＬ言語で記述されたホームページ作成画面テンプレートを示す概念図である。図において、ホームページ作成画面テンプレートは、ＨＴＭＬ言語を用いて記述されており、ホームページの作成に必要な選択項目の箇所には、「＄タグ名＄」の形式で選択項目が記述されている。ホームページ出力装置２は、ホームページ作成画面出力部２１によって、「＄タグ名＄」の部分に対して、記憶装置４からタグ名に相当した内容を抽出し、ホームページ作成画面とともに、クライアント端末１に供給する。上記ホームページ作成画面テンプレートは、自由に作成することができ、「＄タグ名＄」をテンプレート内に自由に配置することが可能である。また、クライアント端末１側のユーザが任意のテンプレートを選択できるように、複数用意してもよい。
【００１５】クライアント端末１は、上記ホームページ作成画面テンプレートを自身が有する閲覧ソフトウェアによって出力装置１ｂに表示する。ここで、図５は、クライアント端末１の出力装置１ｂに表示されるホームページ作成画面を示す概念図である。ホームページ作成画面においては、ホームページの作成に必要な項目を入力することで、ホームページのベースとなるホームページテンプレートが選択される。図５に示す例では、入力項目は、テーマ、タイトル、掲載期限、ＵＲＬ、内容、テンプレートタイプなどである。
【００１６】次に、図６および図７は、ＨＴＭＬ言語で記述されたホームページテンプレートを示す概念図である。図において、ホームページテンプレートは、ホームページ作成画面テンプレートと同様に、ＨＴＭＬ言語を用いて記述されており、ホームページ作成画面テンプレートで入力された内容をホームページに挿入する箇所に、「＄タグ名＄」の形式で挿入項目が記述されている。ホームページ出力装置２は、ホームページ出力部２２によって、「＄タグ名＄」の部分に対して、記憶装置４からタグ名に相当した内容を抽出し、その内容をホームページテンプレートの「＄タグ名＄」の部分に挿入することにより、ホームページを作成し、クライアント端末１に供給する。
【００１７】クライアント端末１は、上記ホームページを自身が有する閲覧ソフトウェアによって出力装置１ｂに表示する。「＄タグ名＄」の部分は、ホームページ出力部２２によって抽出された内容が自動的に挿入されるので、出力装置１ｂには、図８に示すようなホームページが表示されることになる。なお、上記ホームページテンプレートは、自由に作成することができ、「＄タグ名＄」をテンプレート内に自由に配置することが可能である。また、クライアント端末１側のユーザが任意のテンプレートを選択できるように、複数用意してもよい。
【００１８】Ｂ．実施例の動作
次に、図１を参照して本実施例の動作について詳細に説明する。ホームページ出力装置２のホームページ作成画面出力部２１から、クライアント端末１にホームページ作成画面テンプレートが出力される。クライアント端末１では、出力装置１ｂにホームページ作成画面を表示するとともに、上記入力装置１ａを用いて、ホームページ作成に必要な項目を入力する。入力した内容は、ホームページ出力装置２に送出され、記憶装置４に格納される。
【００１９】ここで、クライアント端末１において、図５に示すホームページ作成画面の掲示またはプレビューボタンが入力装置１によりクリックされると、ホームページ出力装置２では、ホームページ出力部２２によって、ホームページテンプレートの「＄タグ名＄」の部分に、記憶装置４に格納した、タグ名に相当した内容を抽出して挿入することにより、ホームページを作成し、クライアント端末１に供給する。クライアント端末１では、ホームページ出力装置２で作成されたホームページを、出力装置１ｂに表示する（図８参照）。
【００２０】また、上述した手順により既に作成されたホームページを表示するには、クライアント端末１において、図５に示すホームページ作成画面で、ファイル名を入力し、参照ボタンをクリックする。ホームページ出力装置２では、参照ボタンがクリックされると、ホームページ検索出力部２３を用いて該当するホームページを記憶装置４から検索し、クライアント端末１に送出する。クライアント端末１では、ホームページ出力装置２から供給されるホームページを、出力装置１ｂに表示する。図８に示す表示画面において、戻りボタンがクリックされると、１つ前の表示画面に戻る（例えば、ホームページ作成画面）。」（段落【００１２】〜【００２０】）
　
ウ　「【００２２】
【発明の効果】以上説明したように、本発明によれば、ホームページを作成するにあたって、ホームページ作成言語ＨＴＭＬを使用せずにホームページを作成することができるという利点が得られる。これにより、ホームページ作成言語の習得が不要になり、容易にホームページを作成することができるという利点が得られる。また、テンプレート機能を使用することで、ホームページのレイアウトを容易に一瞬で変更することが可能である。ホームページのレイアウト変更には、ＨＴＭＬの知識が必要であり、テキストで記述されたＨＴＭＬでは、レイアウト変更後に画面上で確認する必要があるが、テンプレートを使用したプレビュー機能により、レイアウト確認も瞬時に行うことができるという利点が得られる。さらに、テンプレートを任意に作成することで、テンプレートレベルでの任意のレイアウト変更が可能である。テンプレートは拡張ＨＴＭＬで記述されているため、ＨＴＭＬで表現できる内容であれば、すべて表示することができるという利点が得られる。」（段落【００２２】）
　
　以上の記載によれば、引用例には、次の発明（以下「引用発明」という。）が記載されている。
　
「ホームページを作成するホームページ出力装置２であって、
　ホームページ出力装置２は、クライアント端末１からの要求に応じて、ＨＴＭＬ言語で記述されたホームページを提供する、いわゆるＷＷＷサーバであり、
　ホームページ出力装置２は、ホームページ作成画面出力部２１及びホームページ出力部２２を備え、
　ホームページ作成画面出力部２１から、クライアント端末１にホームページ作成画面テンプレートが出力され、
　クライアント端末１では、ホームページ作成画面を表示するとともに、ホームページ作成に必要な項目を入力し、
　入力した内容は、ホームページ出力装置２に送出され、記憶装置４に格納され、
　クライアント端末１において、ホームページ作成画面の掲示またはプレビューボタンがクリックされると、ホームページ出力装置２では、ホームページ出力部２２によって、ホームページテンプレートの「＄タグ名＄」の部分に、記憶装置４に格納した、タグ名に相当した内容を抽出して挿入することにより、ホームページを作成し、クライアント端末１に供給し、
　クライアント端末１では、ホームページ出力装置２で作成されたホームページを表示し、
　ホームページを表示する表示画面において、戻りボタンがクリックされると、１つ前の表示画面であるホームページ作成画面に戻る
　ホームページ出力装置２。」
　
３　対比
　本願補正発明と引用発明を対比する。
　引用発明において、クライアント端末１において、ホームページ作成画面のプレビューボタンがクリックされると、ホームページ出力装置２では、ホームページを作成し、クライアント端末１に供給し、クライアント端末１では、ホームページ出力装置２で作成されたホームページを表示することから、ホームページ出力装置２がプレビューシステムを有していることは明らかである。
　引用発明の「クライアント端末１」は、本願補正発明の「ユーザのコンピュータ」に相当する。また、引用発明において、ホームページ出力装置２は、クライアント端末１からの要求に応じて、ＨＴＭＬ言語で記述されたホームページを提供する、いわゆるＷＷＷサーバであることから、ホームページ出力装置２がホームページを提供するアプリケーションシステムを有していることは明らかであり、上記アプリケーションシステムが、ネットワークを介してクライアント端末１によりアクセスされることも明らかである。さらに、引用発明において、上記アプリケーションシステムから提供されるホームページのデータが上記プレビューシステムに渡されていることは明らかであるから、両者が接続されていることも明らかである。　
　引用発明の入力した「内容」は、本願補正発明の「データ」に相当する。また、引用発明において、入力した内容を挿入したホームページは、本願補正発明の「データの閲覧画面」に相当する。
　引用発明において、上記アプリケーションシステムは、クライアント端末１に対して、入力した内容を挿入したホームページを提供していることから、データの閲覧画面を、該システムの利用者に提供するよう構成されているといえる。また、引用発明において、クライアント端末１において、ホームページ作成画面の掲示ボタンがクリックされると、ホームページ出力装置２において、ホームページ作成画面で入力された内容が正規に登録されることは明らかである。よって、引用発明のアプリケーションシステムは、正規に登録されたデータの閲覧画面を、該システムの利用者に提供するよう構成されているといえる。
　引用発明の「ホームページ作成画面」は、本願補正発明のデータを登録するための「入力画面」に相当する。そして、引用発明において、クライアント端末１では、ホームページ作成画面を表示するとともに、ホームページ作成に必要な項目を入力し、入力した内容は、ホームページ出力装置２に送出されることから、引用発明のホームページ出力装置２のプレビューシステムは、本願補正発明の「前記アプリケーションシステムに前記データを登録するための入力画面上に前記ユーザによって入力されたデータを受信するデータ受信手段」に相当する構成を有している。
　引用発明において、クライアント端末１において、ホームページ作成画面の掲示またはプレビューボタンがクリックされると、ホームページ出力装置２では、入力した内容を挿入したホームページを作成し、クライアント端末１に供給し、クライアント端末１では、ホームページ出力装置２で作成されたホームページを表示することから、プレビューボタンがクリックされた場合において、掲示ボタンがクリックされた場合のホームページ、すなわち正規に登録された入力内容を挿入したホームページと同様の表示形態をもつ表示画面となることは明らかである。また、引用発明において、プレビューボタンがクリックされた場合に表示される画面が、入力された内容の確認画面であることは、明らかである。よって、引用発明のホームページ出力装置２のプレビューシステムは、本願補正発明の「前記受信したデータが前記アプリケーションシステムに正規に登録された場合における該データの前記閲覧画面と同様の表示形態を持つプレビュー画面を作成するプレビュー作成手段」及び「前記入力画面上に入力されたデータに対する確認画面として、前記作成したプレビュー画面を前記ユーザのコンピュータに送信して表示するプレビュー表示手段」に相当する構成を有している。
　引用発明において、掲示ボタンをクリックすることによりＷＷＷサーバであるホームページ出力装置２に入力内容を登録していることは明らかであるから、引用発明の「掲示ボタン」は、本願補正発明の「登録を示すボタン」に相当する。また、引用発明において、掲示ボタンがクリックされると、入力された内容が正規に登録されることは明らかである。よって、引用発明のホームページ出力装置２のプレビューシステムは、本願補正発明の「登録を示す該ボタンが前記ユーザによって選択されたことに応じて前記データを前記アプリケーションシステムに正規に登録する手段」に相当する構成を有している。
　引用発明において、戻りボタンをクリックすることにより、ホームページを表示する表示画面が取り消されることは明らかであるから、引用発明の「戻りボタン」は、本願補正発明の「取消を示す該ボタン」に相当する。また、引用発明において、戻りボタンは、プレビューボタンがクリックされたときに表示されたホームページを表示する表示画面の上に表示されており、プレビューボタンがクリックされたときに表示されたホームページを表示する表示画面は、プレビュー画面であるといえる。さらに、引用発明において、プレビューボタンがクリックされたときに表示されたホームページを表示する表示画面において、戻りボタンがクリックされると、１つ前の表示画面である、プレビューボタンがクリックされる直前の内容が入力された状態のホームページ作成画面に戻ることは明らかであるから、戻りボタンがクリックされると、プレビュー画面を削除するとともに、入力内容を訂正することができるように、プレビューボタンがクリックされる直前の状態の入力内容が挿入されたホームページ作成画面をクライアント端末１に送信していることは明らかである。よって、引用発明のホームページ出力装置２のプレビューシステムは、本願補正発明の「前記プレビュー画面上に表示されたボタンであって、取消を示す該ボタンが前記ユーザによって選択されたことに応じて、前記プレビュー画面を削除するとともに、前記プレビュー画面に対応する前記データを前記ユーザが訂正することができるように、該データが前記ユーザによって入力された状態の前記入力画面を前記ユーザのコンピュータに送信して表示する手段」に相当する構成を有している。
　
　すると、本願補正発明と引用発明とは、次の点で一致する。
＜一致点＞
「ネットワークを介してユーザのコンピュータによりアクセスされるアプリケーションシステムに接続されたプレビューシステムであって、該アプリケーションシステムは、正規に登録されたデータの閲覧画面を、該システムの利用者に提供するよう構成されており、
　前記アプリケーションシステムに前記データを登録するための入力画面上に前記ユーザによって入力されたデータを受信するデータ受信手段と、
　前記受信したデータが前記アプリケーションシステムに正規に登録された場合における該データの前記閲覧画面と同様の表示形態を持つプレビュー画面を作成するプレビュー作成手段と、
　前記入力画面上に入力されたデータに対する確認画面として、前記作成したプレビュー画面を前記ユーザのコンピュータに送信して表示するプレビュー表示手段と、
　登録を示す該ボタンが前記ユーザによって選択されたことに応じて前記データを前記アプリケーションシステムに正規に登録する手段と、
　前記プレビュー画面上に表示されたボタンであって、取消を示す該ボタンが前記ユーザによって選択されたことに応じて、前記プレビュー画面を削除するとともに、前記プレビュー画面に対応する前記データを前記ユーザが訂正することができるように、該データが前記ユーザによって入力された状態の前記入力画面を前記ユーザのコンピュータに送信して表示する手段と、
　を備えるプレビューシステム。」
　
　一方、両者は次の点で相違する。
＜相違点＞
　本願補正発明では、登録を示すボタンがプレビュー画面上に表示され、また、アプリケーションシステムに正規に登録するデータがプレビュー画面に対応するデータであるのに対し、引用発明では、登録を示すボタンが入力画面上に表示され、また、アプリケーションシステムに正規に登録するデータが入力画面に対応するデータである点。
　
４　当審の判断
　上記相違点について検討する。
＜相違点についての検討＞
　プレビュー画面において確認したデータに対し何らかの処理を実行するためのボタンを同画面上に表示し、当該ボタンが選択されたことに応じて、プレビュー画面に対応するデータについての処理が実行される技術は、例えば、特開２０００−３５７１７４号公報（特に、段落【０１１１】及び図４２参照。）、特開平１１−５２９３２号公報（特に、段落【００２７】〜【００３６】及び図６参照。）及び特開２００１−３６７２５号公報（特に、段落【００８９】〜【００９２】及び図１３参照。）に記載されているように、本願出願前周知である。したがって、引用発明において、当該周知技術を適用して、登録を示すボタンがプレビュー画面上に表示されるようにし、また、アプリケーションシステムに正規に登録するデータがプレビュー画面に対応するデータとするように構成することは、当業者が容易に想到し得ることである。
　
　また、本願補正発明の構成によって生じる効果も、引用発明及び周知技術から当業者が予測できる程度のものである。
　
　したがって、本願補正発明は、引用発明及び周知技術に基づいて、当業者が容易に発明をすることができたものであるから、特許法２９条２項の規定により特許出願の際独立して特許を受けることができないものである。
　
５　むすび
　以上のとおり、本件補正は、平成１８年法律５５号改正附則３条１項によりなお従前の例によるとされる同法による改正前の特許法１７条の２第５項において準用する同法１２６条５項の規定に違反するので、同法１５９条１項において読み替えて準用する同法５３条１項の規定により却下すべきものである。
　
第３　本願発明について
　平成２１年７月６日付けの手続補正は上記のとおり却下されたので、本願の請求項１に係る発明（以下「本願発明」という。）は、補正前の請求項１に記載された事項により特定される、前記「第２　１」に記載したとおりのものであると認める。
　
１　引用例
　原査定の拒絶の理由に引用された引用例及びその記載事項は、前記「第２　２」に記載したとおりである。
　
２　当審の判断
　本願発明は、前記「第２」で検討した本願補正発明から、「該アプリケーションシステムは、正規に登録されたデータの閲覧画面を、該システムの利用者に提供するよう構成されており」、「前記プレビュー画面に対応する」及び「前記プレビュー画面を削除するとともに、前記プレビュー画面に対応する前記データを前記ユーザが訂正することができるように」との構成を省いたものである。そうすると、本願発明の構成要件をすべて含み、さらに他の構成要件を付加したものに相当する本願補正発明が、前記「第２　４」に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　
３　むすび
　以上のとおり、本願発明は、引用発明及び周知技術に基づいて、当業者が容易に発明をすることができたものであるから、他の請求項について論及するまでもなく、本願は、特許法２９条２項の規定により特許を受けることができない。
　よって、結論のとおり審決する。